(57)【要約】【課題】  母国語でない言語の綴りや入力方法を知らない使用者でも、簡単に素早く目的の単語を検索でき、特に日本人には馴染みにくい韓国語や中国語の辞書までも日本語的発音表記で簡単に検索できる電子辞書を提供する。【解決手段】  入力手段により入力された発音表記を、発音規則データに従って見出し語に使われている文字に変換する発音表記文字変換手段と、変換された文字と共に変換に使用された発音表記を表示する表示手段と、発音表記文字変換手段によって変換された文字と一致する文字を含む辞書の見出し語を抽出する抽出手段とを有し、抽出した各見出し語を表示手段にリスト表示する。【選択図】  図１
2007317163.tif 000002
【特許請求の範囲】
【請求項１】
発音表記の入力を行う入力手段と、
見出し語と該見出し語に対応した訳からなる辞書本体データと、
前記入力手段により入力される文字と、前記見出し語の言語における文字との対応を示す発音規則データと、
発音規則データを使用して、前記入力手段により入力された発音表記を、前記見出し語の言語における文字に変換する発音表記文字変換手段と、
前記発音表記文字変換手段によって変換された文字と一致する文字を含む見出し語を、前記辞書本体データから抽出する抽出手段と、
前記抽出手段で抽出した見出し語を表示する表示手段と
を具備することを特徴とする電子辞書。
【請求項２】
前記表示手段は、前記入力手段により入力された発音表記を表示し、該発音表記のなかで、前記発音表記文字変換手段が変換処理に使用した文字を、変換処理に使用していない文字と区別して表示する、請求項１に記載の電子辞書。
【請求項３】
前記抽出手段は、前記発音表記文字変換手段によって変換された文字を使用して、前記辞書本体データから見出し語と該見出し語に対応した訳を抽出し、
前記表示手段は、前記抽出手段が抽出した訳を、前記発音表記文字変換手段が変換処理に使用した文字に対応する訳として表示する、請求項２に記載の電子辞書。
【請求項４】
前記発音表記は、ローマ字、カタカナ文字、もしくは平仮名文字であり、
前記発音規則データは、前記見出し語の言語における文字と、該文字の発音を表したローマ字、カタカナ文字、もしくは平仮名文字を含む、請求項１から３のいずれかに記載の電子辞書。
【請求項５】
前記見出し語の言語は韓国語である、請求項４に記載の電子辞書。
【請求項６】
前記見出し語の言語は中国語である、請求項４に記載の電子辞書。
【請求項７】
前記見出し語の言語はアルファベットを使用した言語である、請求項４に記載の電子辞書。
【請求項８】
前記辞書本体データは、多種の言語の辞書本体データを含み、
前記辞書本体データの言語ごとに、発音規則データおよび前記発音表記文字変換手段を有する、請求項１に記載の電子辞書。
【請求項９】
検索に使用する辞書本体データを選択する手段をさらに有し、
前記発音規則データおよび前記発音表記文字変換手段は、選択された辞書本体データの言語に基づいて選択される、請求項８に記載の電子辞書。
【請求項１０】
見出し語と該見出し語に対応した訳からなる辞書本体データを有する電子機器において、発音表記によって前記見出し語を検索する検索方法であって、
前記電子機器は、入力手段と、発音表記文字変換手段と、抽出手段と、前記入力手段により入力される文字と前記見出し語の言語における文字とを対応を示す発音規則データとを有し、
検索方法は、
前記入力手段によって、発音表記を入力するステップと、
前記発音表記文字変換手段によって、前記発音規則データを使用して、前記入力手段により入力された発音表記を、前記見出し語の言語における文字に変換するステップと、
前記抽出手段によって、前記発音表記文字変換手段によって変換された文字と一致する文字を含む見出し語を、前記辞書本体データから抽出するステップと、
を具備することを特徴とする検索方法。
【請求項１１】
音声入力手段と、入力された音声を認識し発音表記へ変換する音声認識手段と、
見出し語と該見出し語に対応した訳からなる辞書本体データと、
前記音声入力手段で入力され前記音声認識手段にて変換される発音表記と、前記見出し語の言語における文字との対応を示す発音規則データと、
発音規則データを使用して、前記音声認識手段にて変換された発音表記を、前記見出し語の言語における文字に変換する発音表記文字変換手段と、
前記発音表記文字変換手段によって変換された文字と一致する文字を含む見出し語を、前記辞書本体データから抽出する抽出手段と、
前記抽出手段で抽出した見出し語を表示する表示手段と
を具備することを特徴とする電子辞書。
【請求項１２】
前記表示手段は、前記音声認識手段にて変換された発音表記を表示し、該発音表記のなかで、前記発音表記文字変換手段が変換処理に使用した文字を、変換処理に使用していない文字と区別して表示する、請求項１０に記載の電子辞書。
【請求項１３】
前記抽出手段は、前記発音表記文字変換手段によって変換された文字を使用して、前記辞書本体データから見出し語と該見出し語に対応した訳を抽出し、
前記表示手段は、前記抽出手段が抽出した訳を、前記発音表記文字変換手段が変換処理に使用した文字に対応する訳として表示する、請求項１２に記載の電子辞書。
【請求項１４】
前記発音表記は、ローマ字、カタカナ文字、もしくは平仮名文字であり、
前記発音規則データは、前記見出し語の言語における文字と、該文字の発音を表したローマ字、カタカナ文字、もしくは平仮名文字を含む、請求項１１から１３のいずれかに記載の電子辞書。
【請求項１５】
前記見出し語の言語は韓国語である、請求項１４に記載の電子辞書。
【請求項１６】
前記見出し語の言語は中国語である、請求項１４に記載の電子辞書。
【請求項１７】
前記見出し語の言語はアルファベットを使用した言語である、請求項１４に記載の電子辞書。
【請求項１８】
前記辞書本体データは、多種の言語の辞書本体データを含み、
前記辞書本体データの言語ごとに、発音規則データおよび前記発音表記文字変換手段を有する、請求項１１に記載の電子辞書。
【請求項１９】
検索に使用する辞書本体データを選択する手段をさらに有し、
前記発音規則データおよび前記発音表記文字変換手段は、選択された辞書本体データの言語に基づいて選択される、請求項１８に記載の電子辞書。
【請求項２０】
見出し語と該見出し語に対応した訳からなる辞書本体データを有する電子機器において、発音表記によって前記見出し語を検索する検索方法であって、
前記電子機器は、音声入力手段と、入力された音声を認識し発音表記へ変換する音声認識手段と、発音表記文字変換手段と、抽出手段と、前記音声認識手段にて変換された発音表記を前記見出し語の言語における文字とを対応を示す発音規則データとを有し、
検索方法は、
前記音声入力手段と前記音声認識手段によって、発音表記を入力するステップと、
前記発音表記文字変換手段によって、前記発音規則データを使用して、前記音声入力手段と前記音声認識手段により入力された発音表記を、前記見出し語の言語における文字に変換するステップと、
前記抽出手段によって、前記発音表記文字変換手段によって変換された文字と一致する文字を含む見出し語を、前記辞書本体データから抽出するステップと、
を具備することを特徴とする検索方法。
【発明の詳細な説明】
【技術分野】
【０００１】
本発明は、外国語辞書の見出し語の検索を、音声入力もしくは文字入力により発音を表す文字列を入力し、発音を表す文字列から外国語の見出し語の文字へ、ある一定の規則に従って変換し、変換後の文字により見出し語を検索することで、耳から聞いた発音により外国語辞書を検索できるようにする電子辞書に関するものである。
【背景技術】
【０００２】
電子辞書の発展により、日本人にとって便利な、英和辞典、和英辞典、国語辞典等の種々の辞典を収録した電子辞書が広く普及している。また、米国や英国では米国人や英国人にとって便利な英英辞典、英語-スペイン語辞典等の辞典の内容を収録した電子辞書が広く普及している。また、韓国でも韓国人にとって便利な韓英辞典、英韓辞典、韓韓辞典等の内容を収録した電子辞書が広く普及している。
【０００３】
これらの電子辞書では、使用者の母国の言語を基本として構成されている。母国言語以外の言語の辞書としては殆どが英語の意味を調べる辞書であった。最近では韓国語、中国語の意味を調べる辞書や、旅行用の会話文とその意味を調べる電子辞書が発売されている。しかし英語以外の言語の見出し語を検索する場合にはその綴りと、電子辞書での入力方法まで予め知っておく必要があり、英語以外の言語を特別に勉強した使用者以外には、英語以外の言語を入力して検索し、目的の見出し語や会話文を探し出すことは非常に難しかった。
【０００４】
例えば中国語の辞書ではピンインを入力して中国語の漢字を検索するものがあるが、予めピンインを修得しておく必要があり、この入力方式の修得が大きな問題であった。また韓国語の辞書では韓国文字の入力に２ボル式、３ボル式の韓国語の独特な入力方式を修得しておく必要があり、同様の問題が有った。
【０００５】
韓国語にはローマ字入力の方式もあるが、アレアハングル方式など韓国語独特のものであり、字綴を修得する必要がある。例えば「キムチ」を「ｋｉｍｕｃｈｉ」と入力しても変換できず、韓国語のローマ字綴では「ｋｉｍｃｈ」となる。焼肉の「カルビ」は「ｋａｒｕｂｉ」ではなく「ｇａｌｂｉ」となる。これら全てを修得しておくには多大な労力が必要であり、やはり大きな問題であった。
【０００６】
この様に、母国語でない言語の綴りや入力方法を知らない使用者でもその言語の辞書を使えるようにするための技術として、英語に限っては、発音から連想し、カタカナで表記した日本語的発音表記で辞書を検索する方法が発明されていた（例えば特許文献１、２、３参照）。
【特許文献１】特開２００１−１６７０９３号公報
【特許文献２】特開２００３−１７８０８７号公報
【特許文献３】特開２０００−１２７６４７号公報
【発明の開示】
【発明が解決しようとする課題】
【０００７】
従来の発明は、辞書のデータに対応する発音表記データを辞書データと共に記憶させる方式であり、発音表記を付加する為の記憶容量を膨大に必要とし、記憶素子のコストの増大により電子辞書の市場価格を上げるばかりでなく、発音表記データを伴った辞書データの生成に長い開発期間が必要とされた。それは発音から連想される発音表記の振れを補正する必要があり、またその確認を行う作業も必要であったからである。
【０００８】
図３は、従来の母国語でない言語の綴りや、入力方法を知らない使用者でも、その言語の辞書を使えるようにするための技術による、日本語的発音表記によって検索する電子辞書検索装置の辞書データ部分の記憶内容を示した表である。
【０００９】
従来の発明による電子辞書では、日本語的発音表記３１を辞書データ３０と共に記憶している。図３は、記憶しているデータ全体の例である。
【００１０】
例えば使用者が“ｒｅｌｉａｂｌｅ”という単語の綴りは知らないが“リライアブル”という言葉を聴いたことが有る場合に、使用者が“リライアブル”と入力装置へ日本語的発音表記を入力すると、電子辞書は、前記入力された日本語的発音表記と記憶装置に記憶された日本語的発音表記３１と比較を行う。そして電子辞書は、日本語的発音表記３１の中に前記入力装置から入力された“リライアブル”と一致する日本語的発音表記３１を探し出し、それに関連付けられている“ｒｅｌｉａｂｌｅ”へ到達させる。
【００１１】
従来の発明による電子辞書では、記憶装置の中に日本語的発音表記３１を辞書データ３０と共に記憶する為、辞書データ全体を記憶する為の記憶容量を膨大に増やし、記憶素子のコストを増大させ、電子辞書の市場価格を上げてしまう欠点があった。
【００１２】
また図３に示した辞書データ３０が出版社などから供給される場合には、日本語的発音表記３１を含んでいない場合がある。そのため、主に発音記号３２から手動もしくは一定のアルゴリズムで、日本語的発音標記３１を自動的に作り出す必要がある。但し全ての使用者が辞書の全単語について発音記号に対して正確な発音の日本語的発音表記を入力できる可能性は低く、例えば“ｒｅｌｉｅｆ”を“リリーフ”ではなく“レリーフ”と記憶していた場合には、辞書データ３０から発見できないこととなる。この事態を避ける為に従来の発明では、図３に示した日本語的発音の補足表記３３の様に“レリーフ”を第二の日本語的発音表記として記憶しておく必要があった。この日本語的発音の補足表記３３によってカタカナ表記の振れを補正し、使用者がストレス無く希望された単語を検索できるように調整する為には、補足表記の生成の為に、多大な労力と開発期間を要するという欠点もあり、記憶容量をさらに増大させるものであった。
【００１３】
さらに従来技術の電子辞書は、入力装置から電子辞書に検索をさせる単語の、全ての日本語的発音表記を入力した後で、検索起動の為のキーを押し、検索結果を得るという動作であった。そのため、日本語的発音表記の中の１文字でも前記カタカナ表記の振れなどにより異なってしまうと、異なった箇所を発見することが困難であった。このため使用者は、何度も入力と検索を繰り返し行わなければならず、とっさの時に単語の意味を調べたい時に使う外国語電子辞書としては、使い勝手が非常に悪かった。
【００１４】
本発明は、母国語でない言語の綴りや入力方法を知らない使用者でも、簡単に素早く目的の単語を検索でき、特に日本人には馴染みにくい韓国語や中国語の辞書までも日本語的発音表記で簡単に検索できるようにすることを第一の目的としている。
【００１５】
さらに従来の発明の様に、日本語的発音表記を全ての見出し語に追加する作業や記憶容量の追加を無くし、電子辞書に追加的なコストの増大をさせずに、日本語的発音表記による検索を提供することを第二の目的としている。
【課題を解決するための手段】
【００１６】
上記課題を解決するため、請求項１に記載した発明は、発音表記の入力を行う入力手段と、見出し語と該見出し語に対応した訳からなる辞書本体データと、前記入力手段により入力される文字と、前記見出し語の言語における文字との対応を示す発音規則データと、発音規則データを使用して、前記入力手段により入力された発音表記を、前記見出し語の言語における文字に変換する発音表記文字変換手段と、前記発音表記文字変換手段によって変換された文字と一致する文字を含む見出し語を、前記辞書本体データから抽出する抽出手段と、前記抽出手段で抽出した見出し語を表示する表示手段とを具備することを特徴とする電子辞書とする。
【００１７】
これにより、実際に聞こえた音の発音表記から、未知の言語の見出し語を検索することが可能になる。
【００１８】
請求項２に記載の発明では、請求項１に記載の電子辞書において、前記表示手段が、前記入力手段により入力された発音表記を表示し、該発音表記のなかで、前記発音表記文字変換手段が変換処理に使用した文字を、変換処理に使用していない文字と区別して表示するものとする。
【００１９】
これにより、発音表記の入力状況や、入力途中における見出し語の候補を確認しながら、発音表記の入力作業を行うことが可能になり、綴りの分からない未知の言語の見出し語でも高い確度で検索することが可能になる。
【００２０】
請求項３に記載の発明では、請求項２に記載の電子辞書において、前記抽出手段が、前記発音表記文字変換手段によって変換された文字を使用して、前記辞書本体データから見出し語と該見出し語に対応した訳を抽出し、前記表示手段は、前記抽出手段が抽出した訳を、前記発音表記文字変換手段が変換処理に使用した文字に対応する訳として表示するものとする。
【００２１】
これにより、発音表記の入力状況や、入力途中における見出し語の候補およびその訳を確認しながら、発音表記の入力作業を行うことが可能になり、綴りの分からない未知の言語の見出し語でも高い確度で検索することが可能になる。
【００２２】
請求項４に記載の発明では、請求項１から３のいずれかに記載の電子辞書において、前記発音表記が、ローマ字、カタカナ文字、もしくは平仮名文字であり、前記発音規則データは、前記見出し語の言語における文字と、該文字の発音を表したローマ字、カタカナ文字、もしくは平仮名文字を含むものとする。
【００２３】
これにより、使用者は、馴染みのある入力し易い文字を使用して発音表記を入力することができ、未知の言語の見出し語の検索が可能になる。
【００２４】
請求項５に記載の発明では、請求項４に記載の電子辞書において、前記見出し語の言語が韓国語であるものとする。
【００２５】
請求項６に記載の発明では、請求項４に記載の電子辞書において、前記見出し語の言語が中国語であるものとする。
【００２６】
請求項７に記載の発明では、請求項４に記載の電子辞書において、前記見出し語の言語がアルファベットを使用した言語であるものとする。
【００２７】
このように、様々な言語の見出し語について発音表記から検索することが可能になる。
【００２８】
請求項８に記載の発明では、請求項１に記載の電子辞書において、前記辞書本体データが、多種の言語の辞書本体データを含み、前記辞書本体データの言語ごとに、発音規則データおよび前記発音表記文字変換手段を有するものとする。
【００２９】
これにより、多種の言語の辞書本体データを搭載し、個々の辞書本体データについて、発音表記によって見出し語を検索することが可能な電子辞書を提供することが可能になる。
【００３０】
請求項９に記載の発明では、請求項８に記載の電子辞書において、検索に使用する辞書本体データを選択する手段をさらに有し、前記発音規則データおよび前記発音表記文字変換手段が、選択された辞書本体データの言語に基づいて選択されるものとする。
【００３１】
これにより、使用者に特別な操作を強いることなく、本発明の発音表記による見出し語検索を遂行することが可能になる。
【００３２】
請求項１０に記載の発明は、見出し語と該見出し語に対応した訳からなる辞書本体データを有する電子機器において発音表記によって前記見出し語を検索する検索方法であって、前記電子機器は、入力手段と、発音表記文字変換手段と、抽出手段と、前記入力手段により入力される文字と前記見出し語の言語における文字とを対応を示す発音規則データとを有し、検索方法は、前記入力手段によって、発音表記を入力するステップと、前記発音表記文字変換手段によって、前記発音規則データを使用して、前記入力手段により入力された発音表記を、前記見出し語の言語における文字に変換するステップと、前記抽出手段によって、前記発音表記文字変換手段によって変換された文字と一致する文字を含む見出し語を、前記辞書本体データから抽出するステップと、を具備することを特徴とする検索方法とする。
【００３３】
これにより、電子辞書以外の電子機器等に、本発明の発音表記による見出し語検索の機能を搭載させることが可能になる。
【００３４】
また上記課題を解決する他の方法として、請求項１１に記載した発明は、音声入力手段と、入力された音声を認識し発音表記へ変換する音声認識手段と、見出し語と該見出し語に対応した訳からなる辞書本体データと、前記音声入力手段で入力され前記音声認識手段にて変換される発音表記と、前記見出し語の言語における文字との対応を示す発音規則データと、発音規則データを使用して、前記音声認識手段により変換された発音表記を、前記見出し語の言語における文字に変換する発音表記文字変換手段と、前記発音表記文字変換手段によって変換された文字と一致する文字を含む見出し語を、前記辞書本体データから抽出する抽出手段と、前記抽出手段で抽出した見出し語を表示する表示手段とを具備することを特徴とする電子辞書とする。
【００３５】
これにより、実際に聞こえた音から、未知の言語の見出し語を検索することが可能になる。
【００３６】
請求項１２に記載の発明では、請求項１に記載の電子辞書において、前記表示手段が、前記音声入力手段により入力され前記音声認識手段により変換された発音表記を表示し、該発音表記のなかで、前記発音表記文字変換手段が変換処理に使用した文字を、変換処理に使用していない文字と区別して表示するものとする。
【００３７】
これにより、音声による発音表記の入力状況や、入力途中における見出し語の候補を確認しながら、発音表記の音声入力作業を行うことが可能になり、綴りの分からない未知の言語の見出し語でも高い確度で検索することが可能になる。
【００３８】
請求項１３に記載の発明では、請求項１２に記載の電子辞書において、前記抽出手段が、前記発音表記文字変換手段によって変換された文字を使用して、前記辞書本体データから見出し語と該見出し語に対応した訳を抽出し、前記表示手段は、前記抽出手段が抽出した訳を、前記発音表記文字変換手段が変換処理に使用した文字に対応する訳として表示するものとする。
【００３９】
これにより、音声による発音表記の入力状況や、入力途中における見出し語の候補およびその訳を確認しながら、発音表記の入力作業を行うことが可能になり、綴りの分からない未知の言語の見出し語でも高い確度で検索することが可能になる。
【００４０】
請求項１４に記載の発明では、請求項１１から１３のいずれかに記載の電子辞書において、前記発音表記が、ローマ字、カタカナ文字、もしくは平仮名文字であり、前記発音規則データは、前記見出し語の言語における文字と、該文字の発音を表したローマ字、カタカナ文字、もしくは平仮名文字を含むものとする。
【００４１】
これにより、使用者は、馴染みのある発音表記の為の文字を使用して発音表記を確認することができ、未知の言語の見出し語の検索が可能になる。
【００４２】
請求項１５に記載の発明では、請求項１４に記載の電子辞書において、前記見出し語の言語が韓国語であるものとする。
【００４３】
請求項１６に記載の発明では、請求項１４に記載の電子辞書において、前記見出し語の言語が中国語であるものとする。
【００４４】
請求項１７に記載の発明では、請求項１４に記載の電子辞書において、前記見出し語の言語がアルファベットを使用した言語であるものとする。
【００４５】
このように、様々な言語の見出し語について発音表記から検索することが可能になる。
【００４６】
請求項１８に記載の発明では、請求項１１に記載の電子辞書において、前記辞書本体データが、多種の言語の辞書本体データを含み、前記辞書本体データの言語ごとに、発音規則データおよび前記発音表記文字変換手段を有するものとする。
【００４７】
これにより、多種の言語の辞書本体データを搭載し、個々の辞書本体データについて、音声入力による発音表記によって見出し語を検索することが可能な電子辞書を提供することが可能になる。
【００４８】
請求項１９に記載の発明では、請求項１８に記載の電子辞書において、検索に使用する辞書本体データを選択する手段をさらに有し、前記発音規則データおよび前記発音表記文字変換手段が、選択された辞書本体データの言語に基づいて選択されるものとする。
【００４９】
これにより、使用者に特別な操作を強いることなく、本発明の音声入力による発音表記によって見出し語検索を遂行することが可能になる。
【００５０】
請求項２０に記載の発明は、見出し語と該見出し語に対応した訳からなる辞書本体データを有する電子機器において音声入力による発音表記によって前記見出し語を検索する検索方法であって、前記電子機器は、音声入力手段と、入力された音声を認識し発音表記へ変換する音声認識手段と、発音表記文字変換手段と、抽出手段と、前記入力手段により入力される文字と前記見出し語の言語における文字とを対応を示す発音規則データとを有し、検索方法は、前記音声入力手段と前記音声認識手段によって、発音表記を入力するステップと、前記発音表記文字変換手段によって、前記発音規則データを使用して、前記入力手段により入力された発音表記を、前記見出し語の言語における文字に変換するステップと、前記抽出手段によって、前記発音表記文字変換手段によって変換された文字と一致する文字を含む見出し語を、前記辞書本体データから抽出するステップと、を具備することを特徴とする検索方法とする。
【００５１】
これにより、電子辞書以外の電子機器等に、本発明の音声入力による発音表記によって見出し語検索の機能を搭載させることが可能になる。
【発明の効果】
【００５２】
本発明によれば、母国語でない言語の綴りや入力方法を知らない使用者でも簡単に素早く目的の単語を検索でき、尚且つ日本語的発音表記を辞書データに追加する作業と記憶容量の追加を無くし、電子辞書に追加的なコストの増大をさせずに音声入力もしくは文字入力により、日本語的発音表記による検索を可能とすることが実現される。
【００５３】
さらに、使用者が複数の言語の辞書を収録した電子辞書において、言語の切替わりを意識することなく、音声入力もしくは文字入力による日本語的発音表記をもとにして、全ての言語の単語を検索できる。
【００５４】
本発明によって、例え何の言語の辞書であっても耳から聞いた発音をもとに日本語的な発音表記を音声もしくは文字で入力することで、電子辞書が簡単に活用でき、調べられるようになり、日本人が外国人の話した言葉を理解する為の補助が可能な電子辞書を実現できる。
【発明を実施するための最良の形態】
【００５５】
以下、本発明の電子辞書における好適な実施の形態について、図１から図１０を参照して詳細に説明する。
【００５６】
図１は、本発明の一実施形態における電子辞書の構成を表したブロック図である。図２は、電子辞書の外観を示す平面図である。
【００５７】
図１に示されるように、電子辞書は、各部の制御を行うと共に、辞書検索を含む本実施形態における音声認識と発音表記文字の変換や、見出し語の抽出等の各種制御を行う制御部１１を備えている。
【００５８】
この制御部１１には、入力手段１２、表示手段１３、ＲＯＭ等の記憶手段で構成される辞書データ記憶手段１４、及びＲＡＭ１５、及び音声入力手段１６が接続されている。
【００５９】
入力手段１２は、電子辞書を使用する際に各種入力を行う為に使用される。
【００６０】
入力手段１２は、図２に示されるように、電源のオンオフを行う電源キー２０、文字を入力するための文字キー２１（以後キーボード２１という）、カーソルや選択箇所の移動を行うカーソルキー２２（十字キー）、入力文字を確定させて入力に対する検索結果の表示を指示する決定キー２３、辞書の種類を選択する辞書選択キー２４を備えている。
【００６１】
発音表記の入力を行う入力手段１２は、主にアルファベットのキーを使い、ローマ字などの入力を行う。本実施形態では、入力したローマ字と共にカタカナ表記を表示する為、制御部１１において、一般的な電子辞書の日本語入力で行われているローマ字カナ変換を行い、入力されるアルファベットと共に変換後のカタカナを表示手段１３へ表示する。
【００６２】
音声入力手段１６は、音声を入力する際に使用される。
【００６３】
音声入力手段１６は、図２に示されるように、マイク２６を備えている。
【００６４】
発音表記の入力を行う音声入力手段１６は、入力された音声を音声認識手段１１ｄで、ローマ字などの発音表記へ変換する。本実施形態では、音声によって入力した変換したローマ字と共にカタカナ表記を表示する為、制御部１１において、一般的な電子辞書の日本語入力で行われているローマ字カナ変換を行い、音声によって入力される発音表記であるローマ字と共に、ローマ字カナ変換後のカタカナを表示手段１３へ表示する。
【００６５】
表示手段１３は液晶表示装置が使用され、図２における液晶表示画面２５が対応している。表示手段１３には、キーボード２１から入力された文字やローマ字カナ変換後のカタカナ、または音声入力手段１６から入力された音声を音声認識手段１１ｄで変換したローマ字やローマ字カナ変換後のカタカナ、及び辞書データ記憶手段１４から抽出された見出し語とその訳や例文、成句等が表示される。
【００６６】
本実施形態における、耳から聞いた発音をもとに日本語的発音表記で検索できる電子辞書において、表示手段１３には、辞書データ記憶手段１４から抽出した見出し語をリスト表示する際に、入力手段１２より入力されたローマ字による発音表記文字列とローマ字カナ変換を行ったカタカナ表記とを、共に表示する場合と、音声入力手段１６から入力された音声を音声認識手段１１ｄで発音表記文字へ変換した後のローマ字による発音表記と、ローマ字カナ変換を行ったカタカナ表記とを、共に表示す場合がある。そのため、表示手段１４の表示画面は複数に分割されるようになっている。
【００６７】
辞書データ記憶手段１４は、電子辞書として見出し語や訳等を検索するための辞書データが格納されている辞書本体データ１４ａを有する。本実施形態では、辞書本体データ１４ａは英和・和英辞書、韓和・和韓辞書と、中和・和中辞書の各辞書における見出し語とその訳を備える。またローマ字による発音表記と外国語の文字との対応付けを示す発音規則データ１４ｂを有する。本実施形態では、ローマ字による発音表記と韓国語の文字、ローマ字による発音表記と中国語の文字、ローマ字による発音表記と英語の文節単位の文字列との対応付けを表した発音規則データ１４ｂを備えている。
【００６８】
制御部１１は、入力手段１２から入力するか、または音声入力手段１６から入力された音声を音声認識手段１１ｄで変換した日本語的発音表記から、検索する対象の言語の文字へ変換する発音表記文字変換手段１１ａと、検索する対象の言語の文字へ変換された文字から、この文字を含む見出し語を辞書データ記憶手段１４の中から抽出する抽出手段１１ｂと、抽出手段１１ｂが抽出した見出し語を表示手段１３に表示する為に、表示制御を行う表示制御手段１１ｃとを備える。
【００６９】
ここで発音表記文字変換手段１１ａは、耳から聞いた発音を表した日本語におけるローマ字表記と検索する言語における正確な発音表記との差異を調整する機能を有する。すなわち、ローマ字表記等の発音表記と検索する言語の文字との対応表を使用し、検索する言語に特有の規則に則って、入力された発音表記を検索する言語の文字へと変換する。これについての詳細は後述する。
【００７０】
ＲＡＭ１５は、データを一時的に記憶する為の記憶手段である。発音表記文字変換手段１１ａがローマ字による日本語的発音表記から、検索する対象の言語の文字へ変換する時に、ローマ字と発音規則データ１４ｂの内容を比較する為に両者の文字列を一時的に記憶する文字データ一時記憶手段１５ａを備える。
【００７１】
図４および図５は、本発明による実施形態の韓国語−日本語辞書において、ローマ字から韓国語の文字へ変換する為の発音規則データ１４ｂを作成するときの、元になるデータを表す。図４は、韓国語の文字（この場合は母音＋子音の例を示す）とローマ字の対応表を示し、図５は、同韓国語の２重母音文字とローマ字の対応表を示している。図４と図５に限定されないが、これらの対応表をもとに、同じ発音表記を示すローマ字に対応する韓国語の文字の対応させた表が、図６に示したローマ字／カタカナ−韓国文字対応表である。
【００７２】
図４と図５では、韓国語が、基本となる１０個の母音と１９個の子音と、１１個の２重母音と１９個の子音の組み合わせで発音が組み立てられることを利用し、韓国語本来の発音をローマ字と対応させている。そしてそれと共に、日本語独特の、必ず子音＋母音で終わる形式や、発音から連想され易い表記を追加している。
【００７３】
例えば、２重母音の表である図５における母音５１と子音５２の組み合わせでは、韓国語本来の発音表記は“ｇｙａｅ”５３である。本実施形態では、それに加えて、５４として、“ｇｙｅ”（カタカナではギェ）と“ｇｉｅ”（カタカナではギエ）を追加すると共に、一般的にはカタカナでは表せない“ｇｈｅ”（カタカナで無理に表すとすればギヘ）までも追加している。これは、電子辞書の使用者が連想しうるローマ字表記をできる限り広く網羅することによって、使用者が耳から聞いた発音をローマ字として入力したり音声入力した場合に、実際に発音された単語の見出し語と一致する確立を高めるためである。
【００７４】
図６は、前記図４と図５の対応表からローマ字に対応する韓国語の文字を表した対応表である。データの形式に制限は無いが、少なくとも図６の対応表の情報が、発音規則データ１４ｂとして辞書データ記憶手段１４に備えられる。
【００７５】
韓国語の場合には同じ文字であっても、単語の先頭で使われる場合とそれ以外の場所で使われる場合で発音が異なる文字がある。この種の文字に対応する為に、図６に示す対応表に有るように、先頭に使われた場合に発音が変わる文字を、一定の付加情報を付けて記憶している。本実施形態による対応表では括弧を付けて記憶している。
【００７６】
例えば図６の文字列６１は、“ｇａ”の発音をする文字であるが、単語の先頭で使われ場合には“ｋａ”となる。先頭の文字の変換を行う際、発音表記文字変換手段１１ａではこの括弧付きの文字を使用して文字の変換を行う。
【００７７】
図７は、文字入力もしくは音声入力による、ローマ字形式の発音表記文字の入力から韓国語の文字への変換を行って、韓国語の見出し語を検索するまでの、表示手段１３における表示画面の例である。
【００７８】
図の表示画面には、表示内容を辞書名表示領域７１と、発音表記入力領域７２と、カタカナ表示領域７３と、抽出手段１１ｂにより辞書本体データ１４ａから抽出された見出し語のリストを表示するリスト表示領域７４と、リスト中の任意の見出し語をカーソルで選択して、選択された見出し語の訳をプレビュー表示するプレビュー表示領域７５とがある。このように使用者が実際に文字入力もしくは音声入力した発音表記文字列と、ローマ字カタカナ変換を行ったカタカナを共に表示することにより、入力した発音表記が意図した発音表記であるかどうかを確認し易くしている。
【００７９】
また本発明の韓国語−日本語辞書は、文字入力もしくは音声入力した発音表記文字列を発音表記文字変換手段１１ａによって（図６の対応表に基づいて）韓国語の文字列へ変換し、変換した文字列を含んだ見出し語を抽出手段１１ｂにより辞書本体データ１４ａから抽出し、その見出し語を表示する。この際、発音表記文字が１文字入力されるまたは音声入力によって追加される度に、リアルタイムで見出し語の抽出とリスト表示の更新を行う。このため、使用者が検索しようとしている見出し語が存在するかどうかが、入力しながら確認できる。
【００８０】
またさらに、プレビュー表示によって抽出された見出し語の訳をも確認できるので、使用者が検索している単語であるかどうかを用意に素早く確認できるのである。
【００８１】
尚、本実施形態によるプレビュー表示領域７５は、カーソルによって選択されたリスト表示領域７４のひとつの見出し語のみの訳を表示しているが、これに限定されず、リスト中の全ての見出し語について同時にプレビュー表示を行っても良い。
【００８２】
耳から聞いた発音をもとに辞書を検索する場合に、耳から聞いた発音は曖昧な場合が多く、発音表記が正しい綴りとなっていなかったり、音声入力が正しい発音表記になりにくい場合がある。この様な場合に、リスト表示領域７４に表示された見出し語の訳をプレビュー表示領域７５で確認しながら、何度か発音表記の入力を修正することで、会話などの状況から、耳から聞いた単語を特定することができる。また、音声入力から音声認識手段１１ｄによって変換した発音表記を入力手段１２で直接発音表記文字を修正することも出来る。
【００８３】
次に、その言語特有の規則に則って、文字入力または音声入力されたローマ字からその言語の単語に変換する機能について説明する。図８は、本発明による韓国語−日本語辞書における、ローマ字による発音表記文字の入力から、韓国語の文字への変換を行う動作の中で、パッチム（韓国語の母音字の下に書く、子音字のこと）を含んだ文字への対応を発音表記文字変換手段１１ａで行う例を表す。
【００８４】
文字入力もしくは“かむ”という音声入力によって“ｋａｍｕ”とローマ字が入力された場合、韓国語では“ｋａｍｕ”の全てを使用した（パッチムを使用しない）文字列８２と、“ｋａｍ”だけを使用した（パッチムを使用する）文字列８１とに変換できる。この場合、抽出手段１１ｂでは変換後の文字列８１と文字列８２の両方で見出し語の抽出を試みる。その結果、文字列８２を含む見出し語が対象とする韓国語−日本語辞書の見出し語の中に存在しないことから、文字列８１のみ採用されることを発音表記文字変換手段１１ａへ伝達する。
【００８５】
発音表記文字変換手段１１ａは文字列８１への変換のみ残し、文字列８２への変換は削除する。また“ｋａｍ”だけが文字列８１へ変換されることで、“ｕ”は保留されることになる。このときに“ｕ”は保留されたことを表す為、本実施形態では表示画面において反転表示を行っている。
【００８６】
図９は、本発明による韓国語−日本語辞書における、ローマ字による発音表記文字の入力から韓国語の文字への変換を行う中で、日本語独特の発音表記と、韓国語の文字の発音との、発音の差異を補正する動きの例を表す。
【００８７】
上記図８に示した働きの例に続き、図９ａでは“ｋａｍｕｓ”まで入力された状態を表す。“ｋａｍ”までは図８における文字列８１に変換されている。上記保留されている“ｕ”と“ｓ”では、変換できる文字が発音規則データ１４ｂに存在しない為、次の文字入力が待たれる。
【００８８】
図９ｂでは、続いて“ａ”が入力された状態を表す。これは上記図８に示した働きの例に続き、“さ”という音声入力が追加されて“ｋａｍｕｓａ”まで入力された状態とおなじである。“ｋａｍｕｓａ”の“ｓａ”が文字列９２へ変換できる。この動作によって保留されていた“ｕ”は、日本語独特の発音表記規則（必ず子音＋母音の組み合わせで表される）によって入力された母音と判断され、韓国語の文字には変換されない文字として確定される。
【００８９】
また本実施形態では表示画面において、下線９ａと下線９ｂにより変換に使用済みのアルファベットを示すことによって、使用者が文字入力または音声入力したローマ字による発音表記に対応する韓国語の文字が存在するのか、結果的に使用者が耳から聞いた発音に対応する韓国語が存在するのかを、入力途中で確認をすることができる。使用者が文字入力または音声入力した発音表記から変換される韓国語の文字を含んだ見出し語が、辞書本体データ１４ａに存在しない場合、後続の文字を続けて入力しても、アンダーラインは入力した文字の下へ伸びない。
【００９０】
なお本実施形態での、パッチムを含んだ文字への対応で変換を保留された文字を反転表示して表す方法や、ローマ字による発音表記と韓国語の文字との発音の差異を補正する時に変換された文字とまだ変換されていない文字とを下線で区別して表す方法は、これらに特定されることは無く、大文字と小文字や、文字の色を変化させる方法の他、変換されない文字を非表示として変換後の韓国語文字列の発音を表すアルファベットに変える方法などを採用しても良い。
【００９１】
以上のように構成された電子辞書における、耳から聞いた単語を、文字入力による発音表記ローマ字によって検索する動作について、図２の外観図と、図７の表示例と、図８と図９（ａ）、図９（ｂ）の変換動作の例と、図１０に示すフローチャートと、図１２の韓国語の文字列の図を使って説明する。本実施形態では、使用者が“カムサハムニダ”と聞き、その意味を調べる例を示す。
【００９２】
まず電源キー２０により電子辞書は動作待ち状態になる。この状態はフローチャートではＳ０である。次に本実施形態では辞書選択キー２４が使用者によって押下され、韓和辞書が選択される。すると、Ｓ１で辞書の選択とローマ字から韓国語の文字への変換テーブルであるローマ字韓変換テーブル（図６のローマ字／カタカナ−韓国文字対応表に相当する。）に切り替えられる。その後Ｓ２で入力文字列が初期化される。この直後の表示状態が図７（ａ）である。
【００９３】
次にＳ３で、カーソルキー２２が押下されたか否かを確認する。カーソルキー２２が押下された場合、Ｓ８でカーソルを移動させプレビュー表示を更新させる。そして再度Ｓ３に戻り、カーソルキー２２が押下されたか否かを確認する。
【００９４】
Ｓ３で、カーソルキー２２が押下されなかった場合、Ｓ４で決定キー２３（ＥＮＴＥＲキー）が押されたか否かを確認する。決定キー２３が押下された場合、Ｓ７でカーソル位置の見出し語についての訳を表示画面に全面表示させる。
【００９５】
Ｓ４で決定キー２３が押下されなかった場合、Ｓ５でキーボード２１が押下されて文字入力がなされたか否か確認する。キーボード２１が押下されていない場合、再度Ｓ３に戻り、カーソルキー２２が押下されたか否かを確認する。
【００９６】
このように、Ｓ３、Ｓ４、Ｓ５でカーソルキー２２、決定キー２３、キーボード２１が押下されたか否かを確認しながらＳ３からＳ５をループして、カーソルキー２２、決定キー２３、キーボード２１を監視する。
【００９７】
Ｓ５において、文字入力がなされたことが確認された場合、例えば“ｋ”キーが押下された場合、“ｋ”がＳ６で文字データ一時記憶手段１５ａの入力文字列に追加される。この場合“ｋ”は１文字目なのでそのまま記憶される。
【００９８】
そして発音表記文字変換手段１１ａはＳ９において、入力されて記憶された文字のローマ字への変換を試み、変換した文字がローマ字韓変換テーブルにあるか否かを確認する。しかし“ｋ”のみではローマ字への変換は行なわれない。従って“ｋ”はローマ字韓変換テーブルには存在しないため、Ｓ１８に進む。尚、Ｓ１８からＳ２１は、入力された最終文字が母音の際に韓国語特有の言語規則に則った処理を行うためのフローである。
【００９９】
Ｓ１８では、入力された文字が母音であるか子音であるかを確認する。”ｋ”は母音ではない為、再びＳ３へ戻り、Ｓ３からＳ５の繰り返すことでキーの監視状態へ戻る。
【０１００】
続いて“ａ”キーが押下されると、“ａ”がＳ６で文字データ一時記憶手段１５ａの入力文字列に追加される。
【０１０１】
この場合、入力文字列は“ｋａ”となるため、Ｓ９において発音表記文字変換手段１１ａはローマ字／カタカナ変換を行い、“ｋａ”を“カ”への変換する。そして図６に示す発音規則データ１４ｂに備えられたローマ字韓変換テーブルに“ｋａ”が存在するか否かが確認される。存在が確認された場合、ローマ字がＳ１０で韓国語の文字列に変換される。この場合、変換される文字としては、入力文字列の１文字目となるので、括弧付きの文字へ変換される。具体的には、図１２の文字列１０１へ変換される。
【０１０２】
Ｓ１１では“ｋａ”が変換済み文字列となり、図７の（ｂ）のように、これら２文字に下線が加えられて表示される。
【０１０３】
次にＳ１２において、韓国語特有の言語規則の１つである、パッチム変換の有無について確認する。“ｋａ”は子音＋母音の２文字なのでパッチム変換無しとなり、Ｓ１４で抽出手段１１ｂは文字列１０１を含む見出し語を辞書本体データ１４ａから抽出する。
【０１０４】
Ｓ１５において、抽出した見出し語の中に文字列１０１が含まれているか否か確認する。本実施形態による韓和辞書では、文字列１０１を含む見出し語が多数存在する為、表示制御手段１１ｃは、抽出された見出し語の辞書本体データ１４ａに収録されている順番に従い、Ｓ１６で表示手段１３へ表示する。
【０１０５】
Ｓ１７で、抽出した見出し語に続く見出し語をリストに続けて表示する。しかし今回は、既に抽出した見出し語でリスト表示領域７４を使っているので、追加の見出し語の表示は行わない。その代わり表示制御手段１１ｂは、使用者がカーソルを移動させリストを下方へスクロールダウンした場合に表示し得る様に、抽出した見出し語に続く見出し語をＲＡＭ１５へ一時的に記憶する。
【０１０６】
そしてＳ３へ戻り、Ｓ３からＳ５の繰り返すことで再びキーの監視へ戻る。この状態での表示例を図７（ｂ）へ示す。発音表記入力領域７２には、入力した文字“ｋａ”に対して、変換済みを表す下線が引かれている。カーソルはリスト中の先頭の見出し語である文字列７６に有り、文字列７６の訳がプレビュー表示領域７５へ表示されている。この表示状態で、カーソルキー２２によりリスト表示領域７４の中のカーソルを上下に移動させることによって、リスト中の他の見出し語の訳をもプレビュー表示により確認することができる。
【０１０７】
続いて“ｍ”キーが押下されると、“ｍ”がＳ６で文字データ一時記憶手段１５ａの入力文字列に追加される。この場合入力文字列は“ｋａｍ”となる。
【０１０８】
Ｓ９ではまず、ローマ字への変換を行うが、“ｍ”のみではローマ字にならない為、カタカナへの変換の結果は変換済みの“カ”のままとなる。そして、図６に示す発音規則データ１４ｂに備えられたローマ字韓変換テーブルに“ｋａｍ”が存在するか否かが確認される。この場合、変換される文字としては入力文字列の１文字目となるので括弧付きの文字へ変換される。
【０１０９】
Ｓ１０で、ローマ字韓変換テーブルにより、図１２の文字列１０２へ変換される。そしてＳ１１では“ｋａｍ”が変換済み文字列となりこれら３文字に下線が加えられて表示される。
【０１１０】
Ｓ１２において“ｋａｍ”は子音＋母音＋子音の３文字なのでパッチム変換有りとなり、Ｓ１３で抽出手段１１ｂは文字列１０２を含む見出し語を辞書本体データ１４ａから抽出する。但し、次に入力される文字によっては“ｋａｍ”を変換した文字列１０２だけではなく、“ｋａ”を変換した文字列１０１と“ｍ”と次の文字で変換した何かしらの文字の２文字にも変換される可能性がある。よって、Ｓ１３でパッチム変換後である状態を設定しておく。これは、当該見出し語にパッチム変換後であることを示すコントロールコードを付加して、文字データ一時記憶手段１５ａに記憶する等して設定する。
【０１１１】
Ｓ１５で、本実施形態による韓和辞書では文字列１０２を含む見出し語が多数存在する為、表示制御手段１１ｃは抽出された見出し語の辞書本体データ１４ａに収録されている順番に従い、Ｓ１６で表示手段１３へ表示する。
【０１１２】
Ｓ１７で、抽出した見出し語に続く見出し語をリストに続けて表示しようとするが、既に抽出した見出し語でリスト表示領域７４を使っているので、追加の見出し語の表示は行わない。その代わり表示制御手段１１ｂは使用者がカーソルを移動させリストを下方へスクロールダウンした場合に表示し得る様に、抽出した見出し語に続く見出し語をＲＡＭ１５へ一時的に記憶するものとする。
【０１１３】
そしてＳ３へ戻り、Ｓ３からＳ５の繰り返すことで再びキーの監視へ戻る。この状態での表示例を図７（ｃ）へ示す。カーソルがリスト中の先頭の見出し語である文字列７７に有り、文字列７７の訳がプレビュー表示領域７４へ表示されている。
【０１１４】
この表示状態で、カーソルキー２２によりリスト表示領域４３の中のカーソルを上下に移動させることによって、リスト中の他の見出し語の訳をも確認することができる。
【０１１５】
続いて“ｕ”キーが押下されると、“ｕ”がＳ６で文字データ一時記憶手段１５ａの入力文字列に追加される。この場合入力文字列は“ｋａｍｕ”となり、Ｓ９においてローマ字“カム”へ変換をされる。
【０１１６】
そしてＳ９で図６に示す発音規則データ１４ｂに備えられたローマ字韓変換テーブルに“ｋａｍｕ”が存在するか否かが確認される。この場合、“ｋａｍｕ”、“ｋａｍ”、“ｋａ”＋“ｍｕ”の３種類について確認される。
【０１１７】
“ｋａｍｕ”、“ｋａｍ”、“ｋａ”は変換される文字としては入力文字列の１文字目となるので、括弧付きの文字へ変換される。しかし、“ｋａｍｕ”の４文字はローマ字韓変換テーブルに存在しない文字である。そのためＳ１０では、“ｋａｍ”が文字列１０２へ変換され、“ｋａ”＋“ｍｕ”が文字列１０１＋文字列１０３へ変換される。このときの動作が図８で示した動作である。“ｋａｍｕ”の４文字は、文字列１０２＋“ｕ”と、文字列１０１＋文字列１０３、の２種類の文字列に変換される。
【０１１８】
Ｓ１０では、この２種類のどちらが適切であるかを確認するため、文字列１０２と文字列１０１＋文字列１０３の両方の文字列を含んだ見出し語の抽出を試みる。文字列１０１＋文字列１０３を含んだ見出し語は存在しないため、文字列１０２＋“ｕ”が採用され、文字列１０１＋文字列１０３は消去される。そして未変換文字として残る“ｕ”については後続の文字と共に変換される可能性があるので保留される。
【０１１９】
従ってＳ１１では“ｋａｍ”が変換済み文字列となり、これら３文字に下線が加えられて表示される。
【０１２０】
Ｓ１２において、“ｋａｍ”は子音＋母音＋子音の３文字なのでパッチム変換有りとなり、Ｓ１３で抽出手段１１ｂは文字列１０２を含む見出し語を辞書本体データ１４ａから抽出する。そして、パッチム変換後である状態が設定される。
【０１２１】
韓国語の場合、子音＋母音＋子音＋母音以上の長い文字列の組み合わせによる文字は無いので、この時点で“ｋａｍ”までを変換した文字列１０２は確定され、これ以後の変換には“ｋａｍ”は含まれないこととなる。Ｓ１５、Ｓ１６、Ｓ１７からＳ３へ戻り、Ｓ３からＳ５の繰り返すことで再びキーの監視へ戻るまでは、上記“ｋａｍ”までの入力と同様となる。
【０１２２】
続いて“ｓ”キーが押下されると、“ｓ”がＳ６で文字データ一時記憶手段１５ａの入力文字列に追加される。この場合、入力文字列は“ｕｓ”となり、Ｓ９においてローマ字“ウ”へ変換をされる。そして図６に示す発音規則データ１４ｂに備えられたローマ字韓変換テーブルに“ｕｓ”が存在するか否かが確認されるが、これは存在しない。そのため、Ｓ１８で“ｓ”の前の最終文字が母音で有ったか確認される。
【０１２３】
“ｕ”は母音であるので、次にＳ１９でパッチム変換後状態であったか否かを確認する。韓国語では、パッチム変換をした後の母音は無視されることになっている。今回の“ｕ”は、“ｋａｍ”を変換した後のパッチム変換後状態であり、母音であるため、Ｓ２０において母音は無視され、変換されない文字として残される。このときの動作が図９（ａ）で示した動作であり、従って“ｕｓ”は変換されない。
【０１２４】
その後、Ｓ２１において“ｕｓ”のパッチム変換後状態を解除し、Ｓ３へ戻りＳ３からＳ５の繰り返すことで再びキーの監視へ戻る。この場合“ｓ”もローマ字には変換されない為、“ｋａｍ”が変換済み文字列のまま変わらず、下線は変化しない。この状態での表示例を図７（ｄ）へ示す。“ｕ”を入力したときとリスト表示領域４３の見出し語とプレビュー表示領域の訳表示の内容は変化しない。
【０１２５】
続いて“ａ”キーが押下されると、“ａ”がＳ６で文字データ一時記憶手段１５ａの入力文字列に追加される。この場合入力文字列は“ｓａ”となり、Ｓ９において発音表記文字変換手段１１ａはローマ字“サ”への変換する。
【０１２６】
Ｓ９では、ローマ字韓変換テーブルに“ｓａ”が存在するか否かを確認する。この場合、変換される文字としては入力文字列の１文字目ではないので、括弧無しの文字へ変換される。このときの動作が図８（ｂ）で示した動作である。“ｓａ”の前の“ｕ”は既に変換されない文字として残されている為、変換される文字列に入らず、“ｓａ”のみが変換される。
【０１２７】
Ｓ１０で、ローマ字韓変換テーブルにある文字列１０４へ変換され、Ｓ１１では“ｓａ”が変換済み文字列となり、これらまで下線が伸びて表示される。
【０１２８】
Ｓ１２において“ｓａ”は子音＋母音の２文字なのでパッチム変換無しとなり、Ｓ１４で抽出手段１１ｂは文字列１０５を含む見出し語を辞書本体データ１４ａから抽出する。
【０１２９】
Ｓ１５で、本実施形態による韓和辞書では文字列１０５を含む見出し語が多数存在する為、表示制御手段１１ｃは抽出された見出し語の辞書本体データ１４ａに収録されている順番に従い、Ｓ１６で表示手段１３へ表示する。
【０１３０】
Ｓ１７で、抽出した見出し語に続く見出し語をリストに続けて表示しようとするが、既に抽出した見出し語でリスト表示領域７４を使っているので、追加の見出し語の表示は行わない。その代わり、表示制御手段１１ｂは使用者がカーソルを移動させリストを下方へスクロールダウンした場合に、表示し得る様にＲＡＭ１５へ一時的に記憶するものとする。
【０１３１】
そしてＳ３へ戻り、Ｓ３からＳ５の繰り返すことで再びキーの監視へ戻る。この状態での表示例を図７（ｅ）へ示す。カーソルがリスト中の先頭の見出し語であるに文字列７８に有り、文字列７８の訳がプレビュー表示領域７４へ表示されている。この表示状態で、カーソルキー２２によりリスト表示領域７４の中のカーソルを上下に移動させることによって、リスト中の他の見出し語の訳をプレビュー表示で確認することができる。
【０１３２】
続いて“ｈａ”が入力された状態の表示例を図７（ｆ）へ示す。“ｈａ”がＳ６で文字データ一時記憶手段１５ａの入力文字列に追加される。この場合入力文字列は“ｈａ”となり、Ｓ９において発音表記文字変換手段１１ａはローマ字“ハ”への変換する。
【０１３３】
Ｓ９では、ローマ字韓変換テーブルに“ｈａ”が存在するかを確認する。この場合、変換される文字としては入力文字列の１文字目ではないので括弧無しの文字へ変換される。
【０１３４】
Ｓ１０で、ローマ字韓変換テーブルにある文字列１０６へ変換され、Ｓ１１では“ｈａ”が変換済み文字列となり、これらまで下線が伸びて表示される。
【０１３５】
Ｓ１２において“ｈａ”は子音＋母音の２文字なのでパッチム変換無しとなり、Ｓ１４で抽出手段１１ｂは文字列１０７を含む見出し語を辞書本体データ１４ａから抽出する。
【０１３６】
Ｓ１５で、本実施形態による韓和辞書では文字列１０７を含む見出し語が多数存在しない為、リスト表示の更新は行わず、Ｓ３へ戻り、Ｓ３からＳ５の繰り返すことで再びキーの監視へ戻る。
【０１３７】
前記文字入力と同様の入力処理を繰り返し、“ｍｕｎｉｄａ” が入力された状態の表示例を図７（ｇ）へ示す。上記入力の“ｈａ”に続く“ｍ”の入力で、“ｍ”はパッチムとなり“ｈａｍ”は文字列１０８に変換され、さらに続く“ｕ”は変換されない文字となる。
【０１３８】
そしてさらに続く“ｎｉ”は文字列１０９に、“ｄａ”は文字列１１０にそれぞれ変換される。
【０１３９】
ここまでで変換された韓国語の文字列は文字列１１１となり、辞書本体データ１４ａにある文字列１１１が抽出手段１１ｂによって抽出され、表示手段１３のリスト表示領域７４へ表示される。
【０１４０】
また、Ｓ１７で抽出した見出し語に続く見出し語である文字列１０５等が続けてリスト表示領域７４の残りの行へ表示される。
【０１４１】
ここまでで使用者は、“カムサハムニダ”までの入力を終了し、図７（ｇ）では入力したローマ字の全てのアルファベット文字に下線が引かれていることから、全ての入力文字が韓国語の文字列へ変換されていることを知ることができる。このときにリスト表示領域７４で先頭に表示されている見出し語が、入力されたローマ字による発音表記を韓国語へ変換した文字を最も多く含む見出し語である。
【０１４２】
プレビュー領域７５にプレビューされている訳を同時に参照することにより、使用者は、“カムサハムミダ”と聞いた状況から、その場から話し手が話した言葉であるかどうかを瞬時に想像できる。
次に、耳から聞いた単語を、音声入力による発音表記ローマ字によって検索する動作について、図２の外観図と、図７の表示例と、図８と図９（ｃ）、図９（ｄ）の変換動作の例と、図１１に示すフローチャートと、図１２の韓国語の文字列の図を使って説明する。本実施形態では、使用者が“カムサハムニダ”と聞き、その意味を調べる例を示す。
【０１４３】
まず電源キー２０により電子辞書は動作待ち状態になる。この状態はフローチャートではＳ０である。次に本実施形態では辞書選択キー２４が使用者によって押下され、韓和辞書が選択される。すると、Ｓ１で辞書の選択とローマ字から韓国語の文字への変換テーブルであるローマ字韓変換テーブル（図６のローマ字／カタカナ−韓国文字対応表に相当する。）に切り替えられる。その後Ｓ２で音声入力文字列が初期化される。この直後の表示状態が図７（ａ）である。
【０１４４】
次にＳ３で、カーソルキー２２が押下されたか否かを確認する。カーソルキー２２が押下された場合、Ｓ８でカーソルを移動させプレビュー表示を更新させる。そして再度Ｓ３に戻り、カーソルキー２２が押下されたか否かを確認する。
【０１４５】
Ｓ３で、カーソルキー２２が押下されなかった場合、Ｓ４で決定キー２３（ＥＮＴＥＲキー）が押されたか否かを確認する。決定キー２３が押下された場合、Ｓ７でカーソル位置の見出し語についての訳を表示画面に全面表示させる。
【０１４６】
Ｓ４で決定キー２３が押下されなかった場合、Ｓ５でマイク２６から音声入力がなされたか否か確認する。音声入力がされていない場合、再度Ｓ３に戻り、カーソルキー２２が押下されたか否かを確認する。
【０１４７】
このように、Ｓ３、Ｓ４、Ｓ５でカーソルキー２２、決定キー２３のキー入力か、マイク２６による音声入力がなされたか否かを確認しながらＳ３からＳ５をループして、カーソルキー２２、決定キー２３、マイク２６による音声入力を監視する。
【０１４８】
Ｓ５において、音声入力がなされたことが確認された場合、例えば“か”という音声が入力された場合、音声認識手段１１ｄにより“ｋａ”という発音表記であるローマ字がＳ６で文字データ一時記憶手段１５ａの入力文字列に追加される。この場合、発音表記であるローマ字の文字列は“ｋａ”となるため、Ｓ９において発音表記文字変換手段１１ａはローマ字／カタカナ変換を行い、“ｋａ”を“カ”への変換する。
【０１４９】
発音表記文字変換手段１１ａはＳ９において、変換されて記憶されたローマ字の韓国語文字への変換を試み、音声認識手段１１ｄで変換した文字列がローマ字韓変換テーブルにあるか否かを確認する。もしもローマ字韓変換テーブルに無かった場合には、Ｓ１８に進む。尚、Ｓ１８からＳ２１は、音声入力されたローマ字の最終文字が母音の際に韓国語特有の言語規則に則った処理を行うためのフローである。Ｓ１８では、変換された文字列の末尾が母音であるか子音であるかを確認する。
【０１５０】
この場合Ｓ９において、図６に示す発音規則データ１４ｂに備えられたローマ字韓変換テーブルに“ｋａ”が存在するか否かが確認される。存在が確認された場合、ローマ字がＳ１０で韓国語の文字列に変換される。この場合、変換される文字としては、入力文字列の１文字目となるので、括弧付きの文字へ変換される。具体的には、図１２の文字列１０１へ変換される。
【０１５１】
Ｓ１１では“ｋａ”が変換済み文字列となり、図７の（ｂ）のように、これら２文字に下線が加えられて表示される。
【０１５２】
次にＳ１２において、韓国語特有の言語規則の１つである、パッチム変換の有無について確認する。“ｋａ”は子音＋母音の２文字なのでパッチム変換無しとなり、Ｓ１４で抽出手段１１ｂは文字列１０１を含む見出し語を辞書本体データ１４ａから抽出する。
【０１５３】
Ｓ１５において、抽出した見出し語の中に文字列１０１が含まれているか否か確認する。本実施形態による韓和辞書では、文字列１０１を含む見出し語が多数存在する為、表示制御手段１１ｃは、抽出された見出し語の辞書本体データ１４ａに収録されている順番に従い、Ｓ１６で表示手段１３へ表示する。
【０１５４】
Ｓ１７で、抽出した見出し語に続く見出し語をリストに続けて表示する。しかし今回は、既に抽出した見出し語でリスト表示領域７４を使っているので、追加の見出し語の表示は行わない。その代わり表示制御手段１１ｂは、使用者がカーソルを移動させリストを下方へスクロールダウンした場合に表示し得る様に、抽出した見出し語に続く見出し語をＲＡＭ１５へ一時的に記憶する。
【０１５５】
そしてＳ３へ戻り、Ｓ３からＳ５の繰り返すことで再びキーの監視へ戻る。この状態での表示例を図７（ｂ）へ示す。発音表記入力領域７２には、音声入力したローマ字“ｋａ”に対して、変換済みを表す下線が引かれている。カーソルはリスト中の先頭の見出し語である文字列７６に有り、文字列７６の訳がプレビュー表示領域７５へ表示されている。この表示状態で、カーソルキー２２によりリスト表示領域７４の中のカーソルを上下に移動させることによって、リスト中の他の見出し語の訳をもプレビュー表示により確認することができる。
【０１５６】
続いて“む” という音声が入力ると、“ｍｕ”がＳ６で文字データ一時記憶手段１５ａの変換文字列に追加される。この場合ローマ字は“ｋａｍｕ”となり、Ｓ９においてカタカナ“カム”へ変換をされる。
【０１５７】
そしてＳ９で図６に示す発音規則データ１４ｂに備えられたローマ字韓変換テーブルに“ｋａｍｕ”が存在するか否かが確認される。この場合、“ｋａｍｕ”、“ｋａｍ”、“ｋａ”＋“ｍｕ”の３種類について確認される。
【０１５８】
“ｋａｍｕ”、“ｋａｍ”、“ｋａ”は変換される文字としては入力文字列の１文字目となるので、括弧付きの文字へ変換される。しかし、“ｋａｍｕ”の４文字はローマ字韓変換テーブルに存在しない文字である。そのためＳ１０では、“ｋａｍ”が文字列１０２へ変換され、“ｋａ”＋“ｍｕ”が文字列１０１＋文字列１０３へ変換される。このときの動作が図８で示した動作である。“ｋａｍｕ”の４文字は、文字列１０２＋“ｕ”と、文字列１０１＋文字列１０３、の２種類の文字列に変換される。
【０１５９】
Ｓ１０では、この２種類のどちらが適切であるかを確認するため、文字列１０２と文字列１０１＋文字列１０３の両方の文字列を含んだ見出し語の抽出を試みる。文字列１０１＋文字列１０３を含んだ見出し語は存在しないため、文字列１０２＋“ｕ”が採用され、文字列１０１＋文字列１０３は消去される。そして未変換文字として残る“ｕ”については後続の文字と共に変換される可能性があるので保留される。
【０１６０】
従ってＳ１１では“ｋａｍ”が変換済み文字列となり、これら３文字に下線が加えられて表示される。
【０１６１】
Ｓ１２において、“ｋａｍ”は子音＋母音＋子音の３文字なのでパッチム変換有りとなり、Ｓ１３で抽出手段１１ｂは文字列１０２を含む見出し語を辞書本体データ１４ａから抽出する。そして、パッチム変換後である状態が設定される。
【０１６２】
韓国語の場合、子音＋母音＋子音＋母音以上の長い文字列の組み合わせによる文字は無いので、この時点で“ｋａｍ”までを変換した文字列１０２は確定され、これ以後の変換には“ｋａｍ”は含まれないこととなる。Ｓ１５、Ｓ１６、Ｓ１７からＳ３へ戻り、Ｓ３からＳ５の繰り返すことで再びキーの監視へ戻るまでは、上記“ｋａｍ”までの入力と同様となる。
続いて“さ” という音声が入力されると、“ｓａ”がＳ６で文字データ一時記憶手段１５ａの入力文字列に追加される。この場合、ローマ字の未変換文字列“ｕｓａ”となり、Ｓ９においてローマ字“ｕ”はカタカナ“ウ”へ変換をされる。そして図６に示す発音規則データ１４ｂに備えられたローマ字韓変換テーブルに“ｕｓａ”が存在するか否かが確認されるが、これは存在しない。そのため、Ｓ１８で“ｓ”の前の最終文字が母音で有ったか確認される。
【０１６３】
“ｕ”は母音であるので、次にＳ１９でパッチム変換後状態であったか否かを確認する。韓国語では、パッチム変換をした後の母音は無視されることになっている。今回の“ｕ”は、“ｋａｍ”を変換した後のパッチム変換後状態であり、母音であるため、Ｓ２０において母音は無視され、変換されない文字として残される。このときの動作が図９（ｃ）で示した動作であり、従って“ｕｓａ”は変換されない。
【０１６４】
その後、Ｓ２１において“ｕｓａ”のパッチム変換後状態を解除し、Ｓ３へ戻りＳ３からＳ５の繰り返すことで再びキーの監視へ戻る。この場合Ｓ９において発音表記文字変換手段１１ａは“ｓａ”をカタカナ“サ”への変換する。
【０１６５】
Ｓ９では、ローマ字韓変換テーブルに“ｓａ”が存在するか否かを確認する。この場合、変換される文字としては入力文字列の１文字目ではないので、括弧無しの文字へ変換される。このときの動作が図９（ｄ）で示した動作である。“ｓａ”の前の“ｕ”は既に変換されない文字として残されている為、変換される文字列に入らず、“ｓａ”のみが変換される。
【０１６６】
Ｓ１０で、ローマ字韓変換テーブルにある文字列１０４へ変換され、Ｓ１１では“ｓａ”が変換済み文字列となり、これらまで下線が伸びて表示される。
【０１６７】
Ｓ１２において“ｓａ”は子音＋母音の２文字なのでパッチム変換無しとなり、Ｓ１４で抽出手段１１ｂは文字列１０５を含む見出し語を辞書本体データ１４ａから抽出する。
【０１６８】
Ｓ１５で、本実施形態による韓和辞書では文字列１０５を含む見出し語が多数存在する為、表示制御手段１１ｃは抽出された見出し語の辞書本体データ１４ａに収録されている順番に従い、Ｓ１６で表示手段１３へ表示する。
【０１６９】
Ｓ１７で、抽出した見出し語に続く見出し語をリストに続けて表示しようとするが、既に抽出した見出し語でリスト表示領域７４を使っているので、追加の見出し語の表示は行わない。その代わり、表示制御手段１１ｂは使用者がカーソルを移動させリストを下方へスクロールダウンした場合に、表示し得る様にＲＡＭ１５へ一時的に記憶するものとする。
【０１７０】
そしてＳ３へ戻り、Ｓ３からＳ５の繰り返すことで再びキーの監視へ戻る。この状態での表示例を図７（ｅ）へ示す。カーソルがリスト中の先頭の見出し語であるに文字列７８に有り、文字列７８の訳がプレビュー表示領域７４へ表示されている。この表示状態で、カーソルキー２２によりリスト表示領域７４の中のカーソルを上下に移動させることによって、リスト中の他の見出し語の訳をプレビュー表示で確認することができる。
【０１７１】
続いて“は”という音声が入力され“ｈａ”が追加された状態の表示例を図７（ｆ）へ示す。“ｈａ”がＳ６で文字データ一時記憶手段１５ａの入力文字列に追加される。この場合入力文字列は“ｈａ”となり、Ｓ９において発音表記文字変換手段１１ａはカタカナ“ハ”への変換する。
【０１７２】
Ｓ９では、ローマ字韓変換テーブルに“ｈａ”が存在するかを確認する。この場合、変換される文字としては入力文字列の１文字目ではないので括弧無しの文字へ変換される。
【０１７３】
Ｓ１０で、ローマ字韓変換テーブルにある文字列１０６へ変換され、Ｓ１１では“ｈａ”が変換済み文字列となり、これらまで下線が伸びて表示される。
【０１７４】
Ｓ１２において“ｈａ”は子音＋母音の２文字なのでパッチム変換無しとなり、Ｓ１４で抽出手段１１ｂは文字列１０７を含む見出し語を辞書本体データ１４ａから抽出する。
【０１７５】
Ｓ１５で、本実施形態による韓和辞書では文字列１０７を含む見出し語が多数存在しない為、リスト表示の更新は行わず、Ｓ３へ戻り、Ｓ３からＳ５の繰り返すことで再びキーの監視へ戻る。
【０１７６】
前記文字入力と同様の入力処理を繰り返し、“むにだ”という音声が入力され“ｍｕｎｉｄａ” が追加された状態の表示例を図７（ｇ）へ示す。上記入力の“ｈａ”に続く“ｍ”の入力で、“ｍ”はパッチムとなり“ｈａｍ”は文字列１０８に変換され、さらに続く“ｕ”は変換されない文字となる。
【０１７７】
そしてさらに続く“ｎｉ”は文字列１０９に、“ｄａ”は文字列１１０にそれぞれ変換される。
【０１７８】
ここまでで変換された韓国語の文字列は文字列１１１となり、辞書本体データ１４ａにある文字列１１１が抽出手段１１ｂによって抽出され、表示手段１３のリスト表示領域７４へ表示される。
【０１７９】
また、Ｓ１７で抽出した見出し語に続く見出し語である文字列１０５等が続けてリスト表示領域７４の残りの行へ表示される。
【０１８０】
ここまでで使用者は、“カムサハムニダ”までの入力を終了し、図７（ｇ）では入力したローマ字の全てのアルファベット文字に下線が引かれていることから、全ての入力文字が韓国語の文字列へ変換されていることを知ることができる。このときにリスト表示領域７４で先頭に表示されている見出し語が、入力されたローマ字による発音表記を韓国語へ変換した文字を最も多く含む見出し語である。
【０１８１】
プレビュー領域７５にプレビューされている訳を同時に参照することにより、使用者は、“カムサハムミダ”と聞いた状況から、その場から話し手が話した言葉であるかどうかを瞬時に想像できる。
さらに使用者は、図７（ｇ）の表示状態から、決定キー２３を押下し、文字列１１１の訳を表示装置１３である液晶表示画面２８の全画面に表示させ、話し手に見せて、話し手が話した言葉であるかどうかを確認することもできる。
【０１８２】
以上のように本発明による韓和辞書の実施形態において、使用者が“カムサハムミダ”と聞き、その通りのローマ字による発音表記を文字入力または音声入力することによって、“カムサハムミダ”が文字列１１１と変換され、“ありがとう”という意味を知るところまでを、図２の外観図、図７の表示例、図８と図９の変換動作の例、図１０、図１１に示すフローチャート、および図１２の韓国語の文字列の図を使って説明した。
【０１８３】
本実施形態で実現されているように、母国語でない言語の綴りや入力方法を知らない使用者でも、簡単に素早く目的の単語を検索でき、尚且つ日本語的発音表記を辞書データに追加する作業と記憶容量の増大を防ぎ、電子辞書に追加的な市場価格の上昇をさせずに日本語的発音表記による検索を可能とすることが実現される。
【０１８４】
本発明による技術を使えば例えば「キムチ」を「ｋｉｍｕｃｈｉ」と入力もしくは“きむち”と音声入力して、韓国語のローマ字綴である「ｋｉｍｃｈ」を入力した場合と同様の検索結果が得られ、また焼肉の「カルビ」も「ｋａｒｕｂｉ」と文字入力または“かるび”という音声入力で「ｇａｌｂｉ」と入力した場合と同様の検索結果が得られることとなる。
【０１８５】
さらに本発明によれば、日本人には馴染みにくい韓国語などの（２ボル、３ボル等）独特の入力方式を知らない使用者でも、日本語的発音表記で簡単に検索できるようにすることができる。例え何の言語の辞書であっても耳から聞いた発音をもとにした日本語的発音表記で電子辞書が簡単に活用でき、調べられるようになり、日本人が外国人の話した言葉を理解する補助が可能な電子辞書を実現できるのである。
【０１８６】
以上、本発明の電子辞書における一実施形態について説明したが、本発明は説明した実施形態に限定されるものではなく、各請求項に記載した範囲において各種の変形を行うことが可能である。
【０１８７】
例えば、説明した実施形態では、韓国語−日本語の韓和辞書について説明したが、中国語の漢字毎の日本語的発音表記を発音規則データに記憶させ、発音表記文字変換手段１１ａにおいて中国語独特の四声と日本語の発音表記との差異を調整せしめ、中国語の耳から聞いた発音から引くことのできる中和辞書も実現可能となる。
【０１８８】
また英語などアルファベットを使用した言語については、音節毎の文字列の塊をひとつの文字と位置付けて、韓国語や中国語の１文字の時と同様に日本語的発音表記を対応付けることで、英語の耳から聞いた発音から引くことのできる英和辞書へも応用することができるのである。
【０１８９】
本発明の本実施形態では日本語的発音表記としてローマ字を使用したが、カタカナやひらがななど使用者になじみ易い発音表記を選択することもできる。また、発音表記文字の入力手法として文字入力によるローマ字入力や音声認識によってローマ字への変換も、平仮名入力や音声認識による平仮名へ変換など、別のの手法を採用することも可能である。
【０１９０】
また、本実施形態による電子辞書の外観図に示したように、複数の辞書をひとつの電子辞書に収録し、それら複数の辞書の異なる言語毎に対応した発音規則データ１４ｂと、各言語の発音特性と日本語的発音の差異を調整する発音表記文字変換手段１１ａを備える用にしてもよい。この際、前記辞書選択キー２４による辞書の選択と連動して、辞書とともに発音規則データ１４ｂと発音表記文字変換手段１１ａが切替わるようにすることも可能である。また、辞書ごとに発音規則データ１４ｂと発音表記文字変換手段１１ａを備えることによって、日本語的発音表記による異なる言語の複数の辞書に対する一括検索までも可能となる。
【０１９１】
また、本実施形態では電子辞書に関して説明してきたが、辞書データや辞書データ検索機能を有するコンピュータ等の機器に、本発明の発音規則データ１４ｂおよび発音標記文字変換手段１１ａを搭載して、本発明の検索方法を実行することも可能である。さらに、本発明の発音規則データ１４ｂは電子データであり、発音表記記文字変換手段１１ａはソフトウエアとして具現化が可能であるため、記憶媒体に記憶して配布したり、ネットワークを使って配信したりことも可能である。
【０１９２】
このように本発明によって、例え何の言語の辞書であっても、耳から聞いた発音をもとにした日本語的発音表記で、聞いた単語を電子辞書で簡単に検索でき、調べられるようになり、日本人が外国人の話した言葉を電子辞書の助けを借りながら理解できるようなる。
【０１９３】
さらに最近では、日本語を学ぶ欧米人が増えており、ローマ字を読んだり書いたりすることができる欧米人も増えている。本発明による技術を和英辞典に活用すれば、日本語を学ぶ外国人にとっても耳から聞いた発音をもとに日本語的発音表記で電子辞書が簡単に活用でき、調べられるようになる。
【０１９４】
さらには、この様な上記日本語を学ぶ欧米人にとっても日本語的発音や日本語的発音表記さえ覚えていれば、何の言語の辞書であっても耳から聞いた発音をもとに日本語的発音表記で電子辞書が簡単に活用できる環境を提供できる。
【０１９５】
なお、本発明による実施形態では、日本語的発音表記から辞書データの中の見出し語を検索した例を示したが、検索対象の言語をそれぞれ独特の入力方式で直接入力して検索させる方法を備えていることは言うまでも無い。
【図面の簡単な説明】
【０１９６】
【図１】本発明の一実施形態における電子辞書の構成を表したブロック図である。
【図２】本発明の一実施形態における電子辞書の外観を示す平面図である。
【図３】従来技術による日本語的発音表記から検索する電子辞書の、辞書データ部分の記憶内容の説明図である。
【図４】本発明の一実施形態における韓国語の発音と文字の対応を示した説明図である。
【図５】本発明の一実施形態における韓国語の２重母音を持つ文字に関する発音と文字の対応を示した説明図である。
【図６】本発明の一実施形態における韓国語の発音規則データ１４ｂの説明図である。
【図７】本発明の一実施形態における韓国語−日本語辞書の表示例を表した図である。
【図８】本発明の一実施形態における日本語的発音表記から韓国語の文字への変換を行う場合の、パッチムを含んだ文字と含まない文字の処理を示した説明図である。
【図９】本発明の一実施形態における日本語的発音表記から韓国語の文字への変換を行う場合の、日本語的発音表記と韓国語の発音との差異を調整する動作例を示した説明図である。
【図１０】本発明の一実施形態における電子辞書の、文字入力による日本語的発音表記から韓国語の見出し語を検索する動作の流れを表したフローチャートである。
【図１１】本発明の一実施形態における電子辞書の、音声入力による日本語的発音表記から韓国語の見出し語を検索する動作の流れを表したフローチャートである。
【図１２】韓国語の文字列の図である。
【符号の説明】
【０１９７】
１１  制御部
１１ａ  発音表記文字変換手段
１１ｂ  抽出手段
１１ｃ  表示制御手段
１１ｄ  音声認識手段
１２  入力手段
１３  表示手段
１４  辞書データ記憶手段
１４ａ  辞書本体データ
１４ｂ  発音規則データ
１５  ＲＡＭ
１５ａ  文字データ一時記憶手段
１６  音声入力手段
２０  電源キー
２１  文字入力キー
２２  カーソルキー
２３  決定キー
２４  辞書選択キー
２５  液晶表示画面
２６  マイク
３０  従来の発明による辞書データ
３１  日本語的発音表記
３２  発音記号
３３  日本語的発音の補足表記
９ａ  入力文字列の途中までのアンダーライン
９ｂ  入力文字列全てにかかるアンダーライン
【図１】
2007317163.tif 000003
【図２】
2007317163.tif 000004
【図３】
2007317163.tif 000005
【図４】
2007317163.tif 000006
【図５】
2007317163.tif 000007
【図６】
2007317163.tif 000008
【図７】
2007317163.tif 000009
【図８】
2007317163.tif 000010
【図９】
2007317163.tif 000011
【図１０】
2007317163.tif 000012
【図１１】
2007317163.tif 000013
【図１２】
2007317163.tif 000014